(57)【要約】【課題】本発明は、入出力装置の内部に塵埃を含む空気が流れ込み難くなり、塵埃による障害を防止できる電子機器の提供を目的とする。【解決手段】電子機器１は、発熱するマイクロプロセッサ７、少なくとも一つの入出力装置１７〜２０およびファン装置６を内蔵した筐体２と、筐体の前面１１を開閉する前面扉３３とを備えている。入出力装置は記録媒体２６が取り出し可能に挿入される挿入口２７〜３０を有し、この挿入口が筐体の前面に露出されている。ファン装置は前面扉の吸気孔から空気を吸い込むとともに、この空気を筐体内を通して排気する。前面扉は、内蓋３３を有し、この内蓋は、前面扉が閉じ位置に移動されている限り、入出力装置の挿入口を塞いでいる。【選択図】　　図５
2004039023.tif 000002
【特許請求の範囲】
【請求項１】
発熱体を内蔵する筐体と、
記録媒体が取り外し可能に挿入される挿入口を有し、この挿入口を上記筐体の前面に露出させた状態で上記筐体に収容された少なくとも一つの入出力装置と、
上記筐体に支持され、上記筐体の前面を覆う閉じ位置と、この前面を露出させる開き位置とに亘って移動可能であるとともに、複数の吸気孔を有する前面扉と、
上記筐体に収容され、上記前面扉の吸気孔から空気を吸い込むとともに、この空気を上記筐体内を通して排気するファン装置と、を具備し、
上記前面扉は、上記閉じ位置に移動された時に、上記入出力装置の挿入口を塞ぐカバー部を有することを特徴とする電子機器。
【請求項２】
請求項１の記載において、上記前面扉は、上記閉じ位置に移動された時に、上記筐体の前面との間に吸気室を構成し、この筐体の前面は、上記吸気室に開口された複数の通気孔を有することを特徴とする電子機器。
【請求項３】
請求項１又は請求項２の記載において、上記カバー部は、上記前面扉を上記閉じ位置に移動させた時に、上記吸気室に介在されて上記入出力装置の挿入口と向かい合うことを特徴とする電子機器。
【請求項４】
請求項１ないし請求項３のいずれかの記載において、上記カバー部は、上記前面扉に取り外し可能に支持されていることを特徴とする電子機器。
【請求項５】
請求項１ないし請求項４のいずれかの記載において、上記カバー部は、上記前面扉を上記閉じ位置に移動させた時に、上記筐体の前面と向かい合う縁部を有し、この縁部に上記筐体の前面に密着する弾性変形が可能なシール部材を取り付けたことを特徴とする電子機器。
【請求項６】
請求項１の記載において、上記カバー部は、上記前面扉に支持されるとともに、複数の通孔を有する本体と、この本体に選択的に取り外し可能に支持され、上記通孔を塞ぐ閉塞板とを備えていることを特徴とする電子機器。
【請求項７】
請求項１の記載において、上記カバー部は、上記前面扉に支持されるとともに、複数の通孔を有する本体と、この本体に取り外し可能に支持され、上記通孔を塞ぐ閉塞板と、上記閉塞板と交換して上記本体に取り外し可能に支持され、上記一部の通孔を塞ぐ少なくとも一つの風量調整板とを備えていることを特徴とする電子機器。
【請求項８】
請求項６又は請求項７の記載において、上記本体は、上記前面扉を上記閉じ位置に移動させた時に、上記筐体の前面と向かい合う縁部を有し、この縁部に上記筐体の前面に密着する弾性変形が可能なシール部材を取り付けたことを特徴とする電子機器。
【請求項９】
発熱体を内蔵する筐体と、
記録媒体が取り外し可能に挿入される挿入口を有し、この挿入口を上記筐体の前面に露出させた状態で上記筐体に収容された少なくとも一つの入出力装置と、
上記筐体に収容され、この筐体の前面から空気を吸い込むとともに、この空気を上記筐体内を通して排気するファン装置と、
上記筐体に支持され、上記筐体の前面のうち上記入出力装置の挿入口が開口された領域を覆う閉じ位置と、この前面の領域を露出させる開き位置とに亘って移動可能な第１の前面扉と、
上記筐体に支持され、上記筐体の前面のうち上記第１の前面扉から外れた領域を覆う閉じ位置と、この前面の領域を露出させる開き位置とに亘って移動可能であるとともに、複数の吸気孔を有する第２の前面扉とを備えていることを特徴とする電子機器。
【請求項１０】
請求項９の記載において、上記第１の前面扉は、上記閉じ位置に移動させた時に、上記筐体の前面に密着する弾性変形が可能なシール部材を有することを特徴とする電子機器。
【請求項１１】
請求項１０の記載において、上記シール部材と上記筐体の前面との密着部分は、上記入出力装置の挿入口を取り囲んでいることを特徴とする電子機器。
【発明の詳細な説明】
【０００１】
【発明の属する技術分野】
本発明は、例えばカセット磁気テープ装置や光磁気ディスク装置のような入出力装置を内蔵した電子機器に係り、特に入出力装置の防塵性能を高めるための構造に関する。
【０００２】
【従来の技術】
電子機器としてのＰＣサーバは、前面に通気孔を有する箱形の筐体と、この筐体に支持された前面扉とを備えている。筐体は、マイクロプロセッサ、電源ユニット、複数のハードディスク駆動装置、ＣＤ−ＲＯＭ駆動装置、カセット磁気テープ装置および光磁気ディスク装置のような主要な構成要素を内蔵している。
【０００３】
これら構成要素のうち、ＣＤ−ＲＯＭ駆動装置、カセット磁気テープ装置および光磁気ディスク装置は、夫々光ディスクやテープカセットのような記録媒体が取り外し可能に挿入される挿入口を有し、この挿入口は、筐体の前面に露出されている。
【０００４】
前面扉は、筐体の前面を覆う閉じ位置と、筐体の前面を露出させる開き位置とに亘って回動可能となっている。そのため、前面扉を開き位置に回動させると、上記挿入口が筐体の前面に露出され、例えば光磁気ディスク装置に対する光ディスクの出し入れ操作を行えるようになっている。
【０００５】
ところで、大容量のデータを取り扱うＰＣサーバでは、処理速度の高速化や多機能化に伴ってマイクロプロセッサやハードディスク駆動装置の発熱量が増加している。このため、従来のＰＣサーバは、マイクロプロセッサやハードディスク駆動装置を強制的に冷却するファン装置を装備している。
【０００６】
ファン装置は、筐体の内部に収容されている。このファン装置が駆動されると、筐体内の静圧が低くなり、筐体の外部の空気が前面扉に開けた吸気孔から筐体の前面の通気孔を通じて筐体の内部に吸い込まれる。この空気は、冷却風となって筐体の内部を流れ、この流れの過程でマイクロプロセッサ、ハードディスク駆動装置および電源ユニットを強制的に冷却する。これにより暖められた冷却風は、筐体の背面から外方に排出されるようになっている。
【０００７】
【発明が解決しようとする課題】
ところで、上記光磁気ディスク装置やカセット磁気テープ装置のような入出力装置は、マイクロプロセッサのようなヒートスポットと比較して発熱量が少ない。このため、入出力装置を冷却する冷却風の風量は、マイクロプロセッサを冷却する冷却風の風量よりも少なくて良いことになる。
【０００８】
ところが、ファン装置は、ヒートスポットの冷却に十分な量の冷却風を前面扉の吸気孔から吸い込むので、この吸気孔から吸い込まれた冷却風の一部が入出力装置の周囲に流れ込む。そのため、入出力装置は、冷却に必要な風量を上回る冷却風の流れに直接さらされることになる。
【０００９】
特にこの種の入出力装置は、記録媒体を抜き差しする挿入口が筐体の前面に開口されているので、この挿入口を通じて入出力装置の内部に必要以上の冷却風が流れ込むのを避けられない。すると、この冷却風の中には、大気中の塵埃が含まれているので、この塵埃が冷却風と共に入出力装置の内部に吸い込まれてしまい、入出力装置に挿入された記録媒体あるいは入出力装置の内部の読み取り用のリード機構に付着する。
【００１０】
この結果、塵埃による記録媒体およびリード機構の汚損が進み、記録媒体に記録された画像情報の読み出しが困難となったり、読み取りエラーの原因となるといった問題が生じてくる。
【００１１】
本発明は、このような事情にもとづいてなされたもので、入出力装置の内部に塵埃を含む空気が流れ込み難くなり、塵埃による障害を未然に防止できる電子機器の提供を目的とする。
【００１２】
【課題を解決するための手段】
上記目的を達成するため、本発明に係る電子機器は、
発熱体を内蔵する筐体と、
記録媒体が取り出し可能に挿入される挿入口を有し、この挿入口を上記筐体の前面に露出させた状態で上記筐体に収容された少なくとも一つの入出力装置と、上記筐体に支持され、上記筐体の前面を覆う閉じ位置と、この前面を露出させる開き位置とに亘って移動可能であるとともに、複数の吸気孔を有する前面扉と、
上記筐体に収容され、上記前面扉の吸気孔から空気を吸い込むとともに、この空気を上記筐体内を通して排気するファン装置とを具備している。
そして、本発明では、上記前面扉がカバー部を有し、このカバー部は、上記前面扉が閉じ位置に移動された時に、上記入出力装置の挿入口を塞ぐことを特徴としている。
【００１３】
このような構成において、ファン装置が動作すると、筐体の外部の空気が前面扉の吸気孔から筐体の内部に吸い込まれる。この際、筐体の前面に露出された入出力装置の挿入口は、前面扉が閉じ位置にある限りカバー部によって覆われている。
【００１４】
このため、前面扉の吸気孔から吸い込まれた空気は、筐体の前面のうち挿入口を外れた領域から筐体の内部に吸い込まれることになり、それ故、挿入口から入出力装置の内部に流れ込む空気量を少なく抑えることができる。よって、空気中に含まれる塵埃が入出力装置の内部に入り込み難くなるような環境を得ることができ、この塵埃による入出力装置の誤作動を防止することができる。
【００１５】
【発明の実施の形態】
以下本発明の第１の実施の形態を、図１ないし図５にもとづいて説明する。
【００１６】
図１は、電子機器としてのＰＣサーバ１を開示している。ＰＣサーバ１は、筐体２を有している。筐体２は、底壁２ａ、左右の側壁２ｂ、前壁２ｃ、上壁２ｄおよび後壁２ｅを有する縦長の箱状をなしている。
【００１７】
図５に示すように、筐体２は、プリント配線板３、電源ユニット４、複数のハードディスク駆動装置５、一対のファン装置６を収容している。プリント配線板３は、筐体２の側壁２ｂに沿って起立しており、このプリント配線板３に発熱体としてのマイクロプロセッサ７が実装されている。電源ユニット４は、プリント配線板３の背後に位置されている。
【００１８】
ハードディスク駆動装置５は、プリント配線板３の前方において筐体２の幅方向に一列に並べられているとともに、筐体２の高さ方向に沿う中間部に位置されている。マイクロプロセッサ７およびハードディスク駆動装置５は、大容量のデータを高速で処理するため動作中の発熱量が大きく、安定した動作を維持するために冷却を必要としている。
【００１９】
ハードディスク駆動装置５の前端部には、夫々操作レバー９が配置されている。操作レバー９は、ハードディスク駆動装置５を筐体２に出し入れするためのものであり、図２や図３に示すように、筐体２の幅方向に一列に並べられている。これら操作レバー９は、前壁２ｃに開けた着脱口１０の内側に位置されている。夫々の操作レバー９は、筐体２の内部に連なる複数の通気孔１２を有し、これら通気孔１２は、前壁２ｃの前面１１に露出している。
【００２０】
ファン装置６は、筐体２の後壁２ｅに支持されている。ファン装置６は、吸入口１３ａおよび排気口１３ｂを有するファンケーシング１４と、このファンケーシング１４に収容された羽根車１５とを備えている。ファンケーシング１４の排気口１３ｂは、筐体２の後壁２ｅに開口されている。
【００２１】
さらに、筐体２は、複数の入出力装置、例えばカセット磁気テープ装置１７、ＣＤ−ＲＯＭ駆動装置１８、光磁気ディスク装置１９およびフロッピディスク駆動装置２０を収容している。これら各装置１７〜２０は、ハードディスク駆動装置５の上方に設置された実装領域１６に収められているとともに、筐体２の高さ方向に沿って一列に積み重ねられている。
【００２２】
各装置１７〜２０は、夫々偏平な箱状のシャーシ２１〜２４を有している。シャーシ２１〜２４の前面は、筐体２の前壁２ｃに開けた装着口２５の内側に位置されて、この前壁２ｃの前面１１に露出されている。ＣＤ−ＲＯＭ駆動装置１８のシャーシ２１の前面には、記録媒体としての光ディスク２６（図２に示す）が取り出し可能に挿入される挿入口２７が開口されている。カセット磁気テープ装置１７のシャーシ２２の前面には、記録媒体としてのテープカセット（図示せず）が取り出し可能に挿入される挿入口２８が開口されている。光磁気ディスク装置１９のシャーシ２３の前面には、記録媒体としての光ディスク（図示せず）が取り出し可能に挿入される挿入口２９が開口されている。同様に、フロッピディスク駆動装置２０のシャーシ２４の前面には、記録媒体としてのフロッピディスク（図示せず）が取り出し可能に挿入される挿入口３０が開口されている。
【００２３】
図１および図２に示すように、ＰＣサーバ１は、筐体２の前面１１を開閉する合成樹脂製の前面扉３３を備えている。前面扉３３は、筐体２の前壁２ｃに対応する大きさを有し、その外周縁部に前壁２ｃに向けて張り出す四つのフランジ３３ａ〜３３ｄが形成されている。フランジ３３ａ〜３３ｄの先端縁部は、同一平面上に位置されている。
【００２４】
前面扉３３は、閉じ位置と開き位置とに亘って回動可能に筐体２の前端に支持されている。前面扉３３が閉じ位置に回動された状態では、この前面扉３３によって筐体２の前壁２ｃの前面１１が覆い隠されており、前面扉３３のフランジ３３ａ〜３３ｄの先端縁部が前壁２ｃの前面１１の外周部と向かい合っている。前面扉３３が開き位置に回動された状態では、この前面扉３３が筐体２の側方に退いており、筐体２の前面１１、操作レバー９の通気孔１２および上記各入出力装置１７〜２０の挿入口２７〜３０が露出されている。
【００２５】
図５に示すように、前面扉３３が閉じ位置に回動された時に、この前面扉３３と筐体２の前面１１との間に吸気室３４が形成されている。筐体２の前面１１に露出された上記操作レバー９の通気孔１２は、吸気室３４に開口されている。さらに、前面扉３３の中央部および前面扉３３の一側に位置するフランジ３３ａに複数の吸気孔３５が形成されている。吸気孔３５は、前面扉３３の高さ方向に間隔を存して一列に並んでいるとともに、上記吸気室３４に開口されている。
【００２６】
図４および図５に示すように、前面扉３３の内面にカバー部としての内蓋３７が取り付けられている。内蓋３７は、前面扉３３と同様の合成樹脂製であり、矩形状の端板３７ａと、この端板３７ａの外周縁部から立ち上がる四つの側板３７ｂとを有している。
【００２７】
端板３７ａは、筐体２の前面１１に開口された着脱口１０よりも一回り大きな形状を有している。この端板３７ａは、前面扉３３の内面から突出する一対のボス部３８にねじ３９を介して取り外し可能に支持されている。側板３７ｂは、前面扉３３を閉じ位置に回動させた時に、筐体２の前面１１と向かい合うとともに、この前面１１に開口された着脱口１０を取り囲むようになっている。
【００２８】
側板３７ｂの先端部には、シール部材４１が取り付けられている。シール部材４１は、例えばスポンジあるいはゴム状弾性体のような弾性変形が可能な材料にて構成されている。このシール部材４１は、前面扉３３が上記閉じ位置に回動された時に、着脱口１０を取り囲むように筐体２の前面１１に密着するようになっている。（図３参照）
したがって、内蓋３７は、前面扉３３が閉じ位置に回動されている限り、上記吸気室３４に介在されて、上記入出力装置１７〜２０の挿入口２７を塞いでいる。これにより、各装置１７〜２０の挿入口２７は、吸気室３４から遮蔽された状態に保たれている。
【００２９】
このような構成のＰＣサーバ１において、ファン装置６の羽根車１５が回転すると、筐体２の内部の空気がファンケーシング１４の吸入口１３ａに吸い込まれる。これにより、筐体２の内部の静圧が低くなり、図５に矢印で示すように、筐体２の外部の空気が前面扉３３の吸気孔３５から吸気室３４に吸い込まれるとともに、ここから通気孔１２を通じて筐体２の内部に吸い込まれる。この吸い込まれた空気は、冷却風となって筐体２の内部を前から後に向けて流れ、この流れの過程でハードディスク駆動装置５、マイクロプロセッサ７および電源ユニット４を冷却する。この熱交換により暖められた冷却風は、ファンケーシング１４の排気口１３ｂから筐体２の外部に排出される。
【００３０】
上記構成によると、前面扉２３が閉じ位置に回動された状態では、内蓋３７が入出力装置１７〜２０の挿入口２７〜３０と向かい合うとともに、この内蓋３７のシール部材４１が挿入口２７〜３０を一括して取り囲むように筐体２の前面１１に密着している。このため、前面扉２３が閉じられている限り、上記挿入口２７〜３０は密閉状態に保たれ、前面扉３３の吸気孔３５から吸い込まれた空気の多くは、筐体２の前面１１のうち内蓋３７を外れた領域にある通気孔１２を通じて筐体２の内部に吸い込まれる。
【００３１】
したがって、挿入口２７〜３０から入出力装置１７〜２０の内部に流れ込む空気量を少なく抑えることができ、空気中に含まれる塵埃が入出力装置１７〜２０の内部に入り込み難くなる。よって、塵埃による光ディスク２６のような記録媒体の汚損や読み取り用のリード機構の汚損を回避することができ、読み取りエラーのような入出力装置１７〜２０の誤作動を防止できる。
【００３２】
さらに、内蓋３７は、前面扉３３に対しねじ３９を介して取り付けられているから、このねじ３９を弛めることで前面扉３３から取り外すことができる。このため、筐体２の実装領域１６に例えば発熱量の大きなハードディスク駆動装置を組み込む場合には、内蓋３７を前面扉３３から取り外すことで対処でき、ハードディスク駆動装置に対する冷却風の送風量を確保することができる。
【００３３】
なお、上記第１の実施の形態では、前面蓋３３と内蓋３７とが互いに別部品にて構成されているが、本発明はこれに限らず、前面蓋３３の内面に内蓋３７を一体に形成しても良い。
【００３４】
さらに、上記第１の実施の形態では、一つの内蓋で全ての入出力装置の挿入口を覆うようにしたが、本発明はこれに限らず、例えば複数の入出力装置のうち最も塵埃を嫌う一つの入出力装置の挿入口を内蓋で覆うようにしても良い。
【００３５】
図６ないし図８は、本発明の第２の実施の形態を開示している。
【００３６】
この第２の実施の形態は、内蓋５１の構成が上記第１の実施の形態と相違している。これ以外のＰＣサーバ１の基本的な構成は上記第１の実施の形態と同様である。このため、第２の実施の形態において、第１の実施の形態と同一の構成部分には、同一の参照符号を付してその説明を省略する。
【００３７】
図６に示すように、内蓋５１は、本体５２、閉塞板５３および風量調整板５４を備えている。本体５２は、矩形状の端板５２ａと、この端板５２ａの外周縁部から立ち上がる四つの側板５２ｂとを有している。端板５２ａは、筐体２の前面１１に開口された着脱口１０よりも一回り大きな形状を有し、前面扉３３の内面のボス部３８にねじ３９を介して取り外し可能に支持されている。
【００３８】
さらに、端板５２ａは、複数の通孔５５を有している。通孔５５は、端板５２ａと前面扉３３の内面との間の隙間５６に開口されている。側板５２ｂは、前面扉３３を閉じ位置に回動させた時に、筐体２の前面１１と向かい合うとともに、この前面１１の着脱口１０を取り囲むようになっている。この側板５２ｂの先端部には、上記第１の実施の形態と同様のシール部材４１が取り付けられている。
【００３９】
閉塞板５３は、本体５２の端板５２ａに重ね合わされている。閉塞板５３は、ねじ３９を利用して端板５２ａに取り外し可能に固定されており、筐体２の前面１１の方向から全ての通孔５５を覆っている。
【００４０】
風量調整板５４は、上記閉塞板５３と交換して使用するものであり、本体５２の端板５２ａに重ね合わされている。風量調整板５４は、複数の連通孔５７を有し、これら連通孔５７は、端板５２ａの通孔５５よりも数が少ない。この風量調整板５４は、ねじ３９を利用して筐体２の前面１１の方向から端板５２ａに取り外し可能に固定されている。風量調整板５４を端板５２ａに固定した状態では、その連通孔５７が一部の通孔５５と合致するとともに、残りの通孔５５は、風量調整板５４によって覆われている。
【００４１】
このような構成において、図７に示すように、閉塞板５３を内蓋５１の端板５２ａに固定した状態においては、この端板５２ａの全ての通孔５５が閉塞板５３によって閉じられる。このため、前面扉３３が閉じ位置に回動されている限り、上記入出力装置１７〜２０の挿入口２７〜３０は密閉状態に保たれ、前面扉３３の吸気孔３５から吸い込まれた空気の多くは、筐体２の前面１１のうち内蓋５１を外れた領域にある通気孔１２を通じて筐体２の内部に吸い込まれる。
【００４２】
よって、上記第１の実施の形態と同様に、挿入口２７〜３０から入出力装置１７〜２０の内部に流れ込む空気量を少なく抑えることができ、空気中に含まれる塵埃による入出力装置１７〜２０の誤作動を防止することができる。
【００４３】
一方、図８の（Ａ）に示すように、ねじ３９による閉塞板５３の固定を解除して、この閉塞板５３を内蓋５１の端板５２ａから取り外すと、端板５２ａの全ての通孔５５が開口される。このため、ファン装置６の駆動時に吸気孔３５から吸気室３４に吸い込まれた空気の一部は、図８の（Ａ）に矢印で示すように、前面扉３３と端板５２ａとの間の隙間５６から通孔５５を通じて内蓋５１の内側に流れ込む。
【００４４】
この結果、筐体２の実装領域１６に例えば冷却を必要するハードディスク駆動装置を組み込む場合に、このハードディスク駆動装置に端板５２ａの通孔５５から冷却風を導くことができ、このハードディスク駆動装置に対する冷却風の送風量を確保することができる。
【００４５】
また、図８の（Ｂ）に示すように、上記閉塞板５３に代えて風量調整板５４を内蓋５１の端板５２ａに取り付けると、端板５２ａの一部の通孔５５が開口された状態に保たれる。このため、全ての通孔５５が開口された場合との比較において、内蓋５１の内側に導かれる冷却風の風量が少なくなる。
【００４６】
この結果、本体５２の端板５２ａに閉塞板５３又は風量調整板５４のいずれかを選択的に取り付ける又は取り外すことで、端板５２ａの全ての通孔５５が開口された形態と、一部の通孔５５のみが開口された形態と、全ての通孔５５が閉じられた形態とを容易に得ることができる。そのため、筐体２の実装領域１６に組み込まれる装置の発熱量に応じて、通孔５５の開口面積を調整することができ、この装置に導かれる冷却風の風量を最適化することができる。
【００４７】
なお、上記第２の実施の形態では、前面蓋３３と内蓋５１とが互いに別部品にて構成されているが、本発明はこれに限らず、例えば前面蓋３３の内面に内蓋５１の本体５２を一体に形成しても良い。
【００４８】
さらに、連通孔５７の数や大きさが異なる複数の風量調整板５４を準備し、いずれかの風量調整板５４を選択して本体５２の端板５２ａに取り付けることで、筐体２の実装領域１６に導かれる冷却風の風量を段階的に変化させることができる。
【００４９】
図９ないし図１１は、本発明の第３の実施の形態を開示している。
【００５０】
この第３の実施の形態に係るＰＣサーバ１は、第１および第２の前面扉６１，６２を装備しており、これ以外の筐体２の構成は、上記第１の実施の形態と同様である。
【００５１】
第１の前面扉６１は、開き位置と閉じ位置とに亘って回動可能に筐体２の前端上部に支持されている。第１の前面扉６１は、上記着脱口１０が開口された前面１１の上半分の領域に対応する大きさを有し、その外周縁部に筐体２の前面１１に向けて張り出す四つのフランジ６１ａ〜６１ｄが形成されている。フランジ６１ａ〜６１ｄの先端縁部は、同一平面上に位置されているとともに、これらフランジ６１ａ〜６１ｄの先端縁部には、内向きに張り出す延出部６３が形成されている。
【００５２】
第１の前面扉６１が閉じ位置に回動された状態では、この第１の前面扉６１によって前壁２ｃの前面１１の上半分の領域が覆い隠されており、第１の前面扉６１の延出部６３が前壁２ｃの前面１１と向かい合っている。この延出部６３には、シール部材６４が取り付けられている。シール部材６４は、例えばスポンジあるいはゴム状弾性体のような弾性変形が可能な材料にて構成されている。このシール部材６４は、第１の前面扉６１が閉じ位置に回動された時に、着脱口１０を取り囲むように筐体２の前面１１に密着するようになっている。
【００５３】
したがって、第１の前面扉６１は、閉じ位置に回動されている限り、入出力装置１７〜２０の挿入口２７を塞いでいる。
【００５４】
第１の前面扉６１が開き位置に回動された状態では、この第１の前面扉６１が筐体２の側方に退いており、筐体２の前面２ｃの上半分の領域および上記各装置１７〜２０の挿入口２７〜３０が露出されている。
【００５５】
第２の前面扉６２は、閉じ位置と開き位置とに亘って回動可能に筐体２の前端下部に支持されている。第２の前面扉６１は、上記第１の前面扉６１から外れた筐体２の前面１１の下半分の領域に対応するような大きさを有している。この第２の前面扉６２の外周縁部には、筐体２の前壁２ｃに向けて張り出す四つのフランジ６２ａ〜６２ｄが形成されている。フランジ６２ａ〜６２ｄの先端縁部は、同一平面上に位置されている。
【００５６】
第２の前面扉６２が閉じ位置に回動された状態では、この前面扉６２によって上記着脱口１０が位置する前壁２ｃの前面１１の下半分の領域が覆い隠されている。この前面扉６２のフランジ６２ａ〜６２ｄの先端縁部は、前壁２ｃの前面１１の外周部と向かい合っている。さらに、第２の前面扉６２は、上記閉じ位置に回動された時に、前壁２ｃの前面１１との間に吸気室６６を構成している。この吸気室６６は、操作レバー９の通気孔１２に連なっている。第２の前面扉６２の中央部および前面扉６２の一側に位置するフランジ６２ａに複数の吸気孔６７が形成されている。吸気孔６７は、第２の前面扉６２の高さ方向に間隔を存して一列に並んでいるとともに、上記吸気室６６に開口されている。
【００５７】
第２の前面扉６２が開き位置に回動された状態では、この前面扉６２が筐体２の側方に退いており、筐体２の前面１１に位置する操作レバー９が露出されている。
【００５８】
上記構成によると、第１の前面扉６１が閉じ位置に回動された状態では、この第１の前面扉６１が入出力装置１７〜２０の挿入口２７〜３０と向かい合うとともに、シール部材６４が挿入口２７〜３０を一括して取り囲むように筐体２の前面１１の上半部に密着している。このため、第１の前面扉６１が閉じられている限り、上記挿入口２７〜３０は密閉状態に保たれている。
【００５９】
ファン装置６が駆動すると、図１１に矢印で示すように、筐体２の外部の空気は専ら第２の前面扉６２の吸気孔６７から吸気室６６に吸い込まれるとともに、ここから通気孔１２を通じて筐体２の内部に吸い込まれる。この吸い込まれた空気は、冷却風となって筐体２の内部を前から後に向けて流れ、この流れの過程でハードディスク駆動装置５、マイクロプロセッサ７および電源ユニット４を冷却する。
【００６０】
したがって、上記第１の実施の形態と同様に、挿入口２７〜３０から入出力装置１７〜２０の内部に流れ込む空気量を少なく抑えることができ、空気中に含まれる塵埃による入出力装置１７〜２０の誤作動を防止することができる。
【００６１】
【発明の効果】
以上詳述した本発明によれば、空気中に含まれる塵埃が入出力装置の内部に入り込み難くなり、この塵埃による入出力装置の誤作動を防止できる。
【図面の簡単な説明】
【図１】本発明の第１の実施の形態に係るＰＣサーバの斜視図。
【図２】前面扉を開き位置に回動させ、筐体の前面を露出させた状態を示すＰＣサーバの斜視図。
【図３】筐体の前面を示すＰＣサーバの斜視図。
【図４】前面扉と内蓋との位置関係を示す斜視図。
【図５】前面扉を閉じ位置に回動させた時の筐体の前面と内蓋との位置関係を概略的に示すＰＣサーバの断面図。
【図６】本発明の第２の実施の形態において、前面扉と内蓋との位置関係を示す斜視図。
【図７】前面扉を閉じ位置に回動させるとともに、内蓋の全ての通孔を閉塞板で閉塞した状態を概略的に示すＰＣサーバの断面図。
【図８】（Ａ）は、内蓋の本体から閉塞板を取り外し、この本体の全ての通孔を開口させた状態を概略的に示すＰＣサーバの断面図。
（Ｂ）は、内蓋の本体に風量調整板を固定し、この本体の一部の通孔を開口させた状態を概略的に示すＰＣサーバの断面図。
【図９】本発明の第３の実施の形態に係るＰＣサーバの斜視図。
【図１０】第１および第２の前面扉を夫々開き位置に回動させ、筐体の前面を露出させた状態を示すＰＣサーバの斜視図。
【図１１】第１および第２の前面扉を夫々閉じ位置に回動させた時の筐体の前面との位置関係を概略的に示すＰＣサーバの断面図。
【符号の説明】
２…筐体
６…ファン装置
７…発熱体（マイクロプロセッサ）
１１…前面
１７，１８，１９，２０…入出力装置
２６…記録媒体
２７，２８，２９，３０…挿入口
３３…前面扉
３５，６７…吸気孔
３７，５１…カバー部（内蓋）
６１…第１の前面扉
６２…第２の前面扉
【図１】
2004039023.tif 000003
【図２】
2004039023.tif 000004
【図３】
2004039023.tif 000005
【図４】
2004039023.tif 000006
【図５】
2004039023.tif 000007
【図６】
2004039023.tif 000008
【図７】
2004039023.tif 000009
【図８】
2004039023.tif 000010
【図９】
2004039023.tif 000011
【図１０】
2004039023.tif 000012
【図１１】
2004039023.tif 000013
【手続補正書】
【提出日】平成15年2月5日(2003.2.5)
【手続補正１】
【補正対象書類名】明細書
【補正対象項目名】００２４
【補正方法】変更
【補正の内容】
【００２４】
前面扉３３は、閉じ位置と開き位置とに亘って回動可能に筐体２の前端に支持されている。前面扉３３が閉じ位置に回動された状態では、この前面扉３３によって筐体２の前面１１が覆い隠されており、前面扉３３のフランジ３３ａ〜３３ｄの先端縁部が前面１１の外周部と向かい合っている。前面扉３３が開き位置に回動された状態では、この前面扉３３が筐体２の側方に退いており、筐体２の前面１１、操作レバー９の通気孔１２および上記各入出力装置１７〜２０の挿入口２７〜３０が外方に露出している。


【手続補正２】
【補正対象書類名】明細書
【補正対象項目名】００２７
【補正方法】変更
【補正の内容】
【００２７】
端板３７ａは、筐体２の前面１１に開口された装着口２５よりも一回り大きな形状を有している。この端板３７ａは、前面扉３３の内面から突出する一対のボス部３８にねじ３９を介して取り外し可能に支持されている。側板３７ｂは、前面扉３３を閉じ位置に回動させた時に、筐体２の前面１１と向かい合うとともに、この前面１１に開口された装着口２５を取り囲むようになっている。


【手続補正３】
【補正対象書類名】明細書
【補正対象項目名】００２８
【補正方法】変更
【補正の内容】
【００２８】
側板３７ｂの先端部には、シール部材４１が取り付けられている。シール部材４１は、例えばスポンジあるいはゴム状弾性体のような弾性変形が可能な材料にて構成されている。このシール部材４１は、前面扉３３が上記閉じ位置に回動された時に、装着口２５を取り囲むように筐体２の前面１１に密着するようになっている。（図３参照）
したがって、内蓋３７は、前面扉３３が閉じ位置に回動されている限り、上記吸気室３４に介在されて、上記入出力装置１７〜２０の挿入口２７〜３０を塞いでいる。これにより、各装置１７〜２０の挿入口２７〜３０は、吸気室３４から遮蔽された状態に保たれている。


【手続補正４】
【補正対象書類名】明細書
【補正対象項目名】００３３
【補正方法】変更
【補正の内容】
【００３３】
なお、上記第１の実施の形態では、前面扉３３と内蓋３７とが互いに別部品にて構成されているが、本発明はこれに限らず、前面扉３３の内面に内蓋３７を一体に形成しても良い。


【手続補正５】
【補正対象書類名】明細書
【補正対象項目名】００３７
【補正方法】変更
【補正の内容】
【００３７】
図６に示すように、内蓋５１は、本体５２、閉塞板５３および風量調整板５４を備えている。本体５２は、矩形状の端板５２ａと、この端板５２ａの外周縁部から立ち上がる四つの側板５２ｂとを有している。端板５２ａは、筐体２の前面１１に開口された装着口２５よりも一回り大きな形状を有し、前面扉３３の内面のボス部３８にねじ３９を介して取り外し可能に支持されている。


【手続補正６】
【補正対象書類名】明細書
【補正対象項目名】００３８
【補正方法】変更
【補正の内容】
【００３８】
さらに、端板５２ａは、複数の通孔５５を有している。通孔５５は、端板５２ａと前面扉３３の内面との間の隙間５６に開口されている。側板５２ｂは、前面扉３３を閉じ位置に回動させた時に、筐体２の前面１１と向かい合うとともに、この前面１１の装着口２５を取り囲むようになっている。この側板５２ｂの先端部には、上記第１の実施の形態と同様のシール部材４１が取り付けられている。


【手続補正７】
【補正対象書類名】明細書
【補正対象項目名】００４７
【補正方法】変更
【補正の内容】
【００４７】
なお、上記第２の実施の形態では、前面扉３３と内蓋５１とが互いに別部品にて構成されているが、本発明はこれに限らず、例えば前面扉３３の内面に内蓋５１の本体５２を一体に形成しても良い。


【手続補正８】
【補正対象書類名】明細書
【補正対象項目名】００５１
【補正方法】変更
【補正の内容】
【００５１】
第１の前面扉６１は、開き位置と閉じ位置とに亘って回動可能に筐体２の前端上部に支持されている。第１の前面扉６１は、上記装着口２５が開口された前面１１の上半分の領域に対応する大きさを有し、その外周縁部に筐体２の前面１１に向けて張り出す四つのフランジ６１ａ〜６１ｄが形成されている。フランジ６１ａ〜６１ｄの先端縁部は、同一平面上に位置されているとともに、これらフランジ６１ａ〜６１ｄの先端縁部には、内向きに張り出す延出部６３が形成されている。


【手続補正９】
【補正対象書類名】明細書
【補正対象項目名】００５２
【補正方法】変更
【補正の内容】
【００５２】
第１の前面扉６１が閉じ位置に回動された状態では、この第１の前面扉６１によって筐体２の前面１１の上半分の領域が覆い隠されており、第１の前面扉６１の延出部６３が前面１１と向かい合っている。この延出部６３には、シール部材６４が取り付けられている。シール部材６４は、例えばスポンジあるいはゴム状弾性体のような弾性変形が可能な材料にて構成されている。このシール部材６４は、第１の前面扉６１が閉じ位置に回動された時に、装着口２５を取り囲むように筐体２の前面１１に密着するようになっている。


【手続補正１０】
【補正対象書類名】明細書
【補正対象項目名】００５３
【補正方法】変更
【補正の内容】
【００５３】
したがって、第１の前面扉６１は、閉じ位置に回動されている限り、入出力装置１７〜２０の挿入口２７〜３０を塞いでいる。


【手続補正１１】
【補正対象書類名】明細書
【補正対象項目名】００５４
【補正方法】変更
【補正の内容】
【００５４】
第１の前面扉６１が開き位置に回動された状態では、この第１の前面扉６１が筐体２の側方に退いており、筐体２の前面１１の上半分の領域および上記各装置１７〜２０の挿入口２７〜３０が外方に露出している。


【手続補正１２】
【補正対象書類名】明細書
【補正対象項目名】図３
【補正方法】変更
【補正の内容】
【図３】
筐体の前面を示すＰＣサーバの正面図。


【手続補正１３】
【補正対象書類名】図面
【補正対象項目名】図２
【補正方法】変更
【補正の内容】
【図２】
2004039023.tif 000014
【手続補正１４】
【補正対象書類名】図面
【補正対象項目名】図１１
【補正方法】変更
【補正の内容】
【図１１】
2004039023.tif 000015